(57)【要約】【課題】適度なフィット感を持続できるゴルフ手袋を提供する。【解決手段】手袋本体１に、親指を収容する親指袋２を縫合したゴルフ手袋であって、親指袋２の下端の少なくとも一部を手首側端７ａまで延設することにより、親指袋２の一部を手袋本体１に対して無縫製とする。親指袋２の周縁を一周囲んだ縫製がされていないので、生地の持つ本来の自然な伸びが阻害されずにすむ。【選択図】図１
2007100275.tif 000002
【特許請求の範囲】
【請求項１】
手袋本体に、親指を収容する親指袋が縫合されたゴルフ手袋であって、親指袋の下端が手首側端まで延設されることにより、親指袋の一部が手袋本体に対して無縫製とされたことを特徴とするゴルフ袋。
【請求項２】
前記親指袋は、伸縮性生地を介在させて前記手袋本体に縫合されたことを特徴とする請求項１に記載のゴルフ袋。
【請求項３】
前記手袋本体は手甲側部と手平側部とからなり、該手甲側部と手平側部とが小指側端部で連続していることを特徴とする請求項１または２記載のゴルフ袋。
【請求項４】
前記手袋本体は手甲側部と手平側部とからなり、該手甲側部と手平側部とを小指側端部で伸縮性生地を介して連結させたことを特徴とする請求項１または２記載のゴルフ袋。
【発明の詳細な説明】
【技術分野】
【０００１】
本発明は、ゴルフ手袋に関する。
【背景技術】
【０００２】
一般に、ゴルフクラブを握るとき、親指以外の４本の指でグリップをその下側から握って、親指をグリップの上側に添え、両手を親指側にひねるようにしながら力強く握るようにしている。このとき、滑り止めとして、あるいはボールを打ったときに手に伝わる衝撃を緩和するためにゴルフ手袋を着用することが多く、通常、右利きの人は左手に、左利きの人は右手にゴルフ手袋を着用している。
【０００３】
このようなゴルフ手袋は、一般に、手袋本体に楕円形の穴を開け、この穴に親指を収容する親指袋の周縁を縫合することにより構成される（特許文献１参照）。
【特許文献１】特開２００２−３０２８１５号公報
【発明の開示】
【発明が解決しようとする課題】
【０００４】
ところで、特許文献１記載のゴルフ手袋は、親指袋の全周が手袋本体に縫合されているため、その縫合部分において剛性が高くなり、生地の伸びが阻害されてしまう。そのため、特にグリップ掌握時に親指が窮屈となってしまう。適度なフィット感を得られない。
【０００５】
本発明は、適度なフィット感を持続できるゴルフ手袋を提供することを目的とする。
【課題を解決するための手段】
【０００６】
上記目的を達成するため、本発明は、手袋本体に、親指を収容する親指袋が縫合されたゴルフ手袋であって、親指袋の下端の少なくとも一部が手首側端まで延設されることにより、親指袋の一部が手袋本体に対して無縫製とされたことを特徴とするゴルフ袋である。親指袋の周縁を一周囲んだ縫製がされていないので、生地の持つ本来の自然な伸びが阻害されずにすむ。したがって、親指が違和感無く動くことができ、フィット性の高いものとすることができる。
【０００７】
親指袋は、少なくとも一部に、伸縮性生地を介在させて手袋本体に縫合するのが好ましい。伸縮性生地により、親指袋と手袋本体との間で伸縮でき、よりフィット性の高いものとなる。
【０００８】
手袋本体は手甲側部と手平側部とからなる。手甲側部と手平側部とを小指側端部で連続させるのが好ましい。小指側端部に縫目が形成されないですむ。縫目があると剛性が高くなり、生地の伸びが阻害されてしまうが、手甲側部と手平側部とが連続しているので生地の伸びを阻害せずにすむ。したがって、フィット性の高いものとなる。または、手甲側部と手平側部との少なくとも一部を小指側端部で伸縮性生地を介して連結させてもよい。伸縮性生地により、手甲側部と手平側部との間で伸縮でき、よりフィット性の高いものとなる。
【発明の効果】
【０００９】
本発明によると、親指袋の下端が手首側端まで延設され、親指袋の一部が手袋本体に対して無縫製とされているので、生地の持つ本来の自然な伸びが阻害されずにすむ。したがって、親指が違和感無く動くことができ、フィット性の高いものとなる。
【発明を実施するための最良の形態】
【００１０】
以下、本発明の実施形態を図面に基づいて説明する。なお、図１及び図２に示すゴルフ手袋は左手用であるが、これが右手用であっても実質的な差異はない。
【００１１】
＜第一の実施形態＞
図１は本発明の第一実施形態のゴルフ手袋の手甲側から見たときの斜視図であり、図２はその手平側から見たときの斜視図、図３はゴルフ手袋の展開図であって、（ａ）は手袋本体の展開図、（ｂ）は親指袋の展開図である。なお、図３（ａ）及び（ｂ）の図中のアルファベットａ〜ｉは、対応する縫着部分を示す。また、図３（ａ）の展開図には、マチ８を省略してある。
【００１２】
このゴルフ手袋は、手袋本体１に、親指とその付根付近を覆う親指袋２が縫合されてなる。手袋本体１は、皮革や合成皮革など種々の生地を、手甲側部３及び手平側部４が小指側端部５で連続した形で１枚のシート状に裁断し、これらを手袋形状に縫合してなる。詳しくは、手甲側部３及び手平側部４は、手甲部分３ａ又は手平部分４ａの指先側に、親指以外の指に相当するそれぞれ四つの指部分３ｂ〜３ｅ、４ｂ〜４ｅが突出した形状とされ、親指袋２を取り付ける部分６と、手首部分７の端部である手首側端７ａとを除いて周縁同士が互いに縫合される。また、手甲側部３は、人差指側から突出して垂れ片３ｆが延設される。この垂れ片３ｆは、親指と人差指との谷間に位置する。グリップ時に、親指袋２の縫合部分が親指に当たるのを防止できる。
【００１３】
手甲側部３及び手平側部４の人差し指部分３ｂ、４ｂの小指側、中指部分３ｃ、４ｃ及び薬指部分３ｄ、４ｄの両側、及び小指部分３ｅ、４ｅの人差し指側は、指の厚さに相当するマチ８を介在させて縫合され、指を挿入できるように指袋が形成される。また、手甲部分３ａの手首側には、着脱用の切れ目９と、着用後に切れ目を閉じるための面ファスナーバンド１０とが設けられている。
【００１４】
手甲側部３及び手平側部４の親指袋２を取り付ける部分は、手甲側部３と手平側部４とを互いに縫合しないようにして親指袋取付開口６とされる。親指袋取付開口６は、略楕円形で、かつ、その下端から手首側端７ａにかけて手袋本体１の手首部分７を分断するように隙間６ａが設けられる。この隙間６ａに、後述の親指袋２の延長片２ｃが配され、延長片２ｃが手袋本体１の手首部分７を構成することとなる。
【００１５】
親指袋２は、図３（ｂ）の展開図に示すように、手甲側片２ａと手平側片２ｂとから構成され、親指袋取付開口６に縫着される下部開口を除いて、両者の周縁同士が縫合されて形成される。手甲側片２ａは、その下端の一部が手首端まで延設されて延長片２ｃが形成される。
【００１６】
このように形成された親指袋２は、手袋本体１の親指袋取付開口６の縁に縫合される。その際、手平側には、親指袋２と手袋本体１との間に、伸縮性生地として伸縮性テープ１１が介在される。また、延長片２ｃが手袋本体１の隙間６ａに配されることにより、親指袋２の下端が手首側端７ａまで延長され、手袋本体１の手首部分７の一部を構成する。このような構成とすることにより、親指袋２の周縁において手袋本体１に対して無縫製部分Ａが形成される。この無縫製部分Ａの存在により、生地の伸びが阻害されず、周囲の縫合部分による親指への締め付けが軽減される。特に、グリップ掌握時において、親指袋２の縦横方向へ伸びをさせやすい。したがって、親指を曲げてもその動きに追従しやすく、フィット性の高いゴルフ手袋となる。なお、親指袋２と手袋本体１との間に伸縮性テープ１１を介在させない形態としてもよい。
【００１７】
＜第二の実施形態＞
次に、図４〜図６に示す第二実施形態のゴルフ手袋について説明する。図４は本発明の第二実施形態のゴルフ手袋の手甲側から見たときの斜視図であり、図５はその手平側から見たときの斜視図、図６は手袋本体の展開図である。なお、図６の展開図では、マチ８を省略してある。
【００１８】
このゴルフ手袋の手袋本体１は、皮革等の生地を、手甲側部３及び手平側部４が親指側端部で連続した形で裁断し、これらを手袋形状に縫合してなる。また、手甲側部３及び手平側部４の小指側端部５同士を縫合により連結する際には、その一部又は全部に伸縮性テープ１２が介在される。手甲側部３と手平側部４との間で伸縮できるので、よりフィット性が高まる。
【００１９】
また、図６に示すように、手首部分７が幅狭に形成される。詳しくは、手甲部分３ａ及び手平部分４ａの小指側端部５が手首側端７ａへ向かう程、親指側に傾斜している。このように手首部分７を幅狭に形成することにより、手首部分７におけるフィット性が高まる。なお、手甲部分３ａ及び手平部分４ａの両方を傾斜させたが、いずれか一方のみを傾斜させてもよいことは勿論である。それ以外の構成は、第一実施形態と同じである。
【図面の簡単な説明】
【００２０】
【図１】本発明の第一実施形態のゴルフ手袋の手甲側から見た斜視図
【図２】その手平側から見た斜視図
【図３】本発明の第一実施形態のゴルフ手袋の展開図であって、（ａ）は手袋本体の展開図を示し、（ｂ）は親指袋の展開図を示す。
【図４】本発明の第二実施形態のゴルフ手袋の手甲側から見た斜視図
【図５】その手平側から見た斜視図
【図６】本発明の第二実施形態のゴルフ手袋の手袋本体の展開図
【符号の説明】
【００２１】
Ａ    無縫製部分
１    手袋本体
２    親指袋
２ｃ  延長片
３    手甲側部
３ａ  手甲部分
４    手平側部
４ａ  手平部分
５    小指側端部
６    親指袋取付開口
７    手首部分
７ａ  手首側端
１１  伸縮性テープ
１２  伸縮性テープ
【図１】
2007100275.tif 000003
【図２】
2007100275.tif 000004
【図３】
2007100275.tif 000005
【図４】
2007100275.tif 000006
【図５】
2007100275.tif 000007
【図６】
2007100275.tif 000008